(57)【特許請求の範囲】
【請求項１】
刃部材および前記刃部材の近くにある、皮膚と接触する部分を含んでなり、前記皮膚と接触する部分が、第一の髭剃り助剤を含む第一の露出した長さ方向に伸びる部分と、隣接する、第二の髭剃り助剤を含む第二の露出した長さ方向に伸びる部分とを包含する固体重合体状髭剃り助剤複合材料を湿式髭剃り機構が使用されるのに先立って含んでなり、前記第一の露出した長さ方向に伸びる部分が、前記第二の露出した長さ方向に伸びる部分とは異なった組成を有することを特徴とする湿式髭剃り機構。
【請求項２】
前記第一の髭剃り助剤および前記第二の髭剃り助剤が同一である、請求項１に記載の髭剃り機構。
【請求項３】
前記第一の髭剃り助剤が前記第二の髭剃り助剤と異なる、請求項１に記載の髭剃り機構。
【請求項４】
前記第一の髭剃り助剤が、潤滑性水溶性重合体を含んでなり、前記第一の部分が第一の非水溶性重合体をさらに含んでなり、前記第二の部分が第二の非水溶性重合体を含んでなる、請求項１〜３のいずれか１項に記載の髭剃り機構。
【請求項５】
前記水溶性重合体がポリエチレンオキシドを含んでなり、かつ前記第一の非水溶性重合体および前記第二の非水溶性重合体がそれぞれ独立に、ポリエチレン、ポリプロピレン、ポリスチレン、ブタジエンスチレン共重合体、ポリアセタール、アクリロニトリル−ブタジエン−スチレン共重合体、およびエチレン酢酸ビニル共重合体からなる群から選択される、請求項４に記載の髭剃り機構。
【請求項６】
前記第一の髭剃り助剤および前記第二の髭剃り助剤がそれぞれ独立に、ポリエチレンオキシド、ポリビニルピロリドン、ポリアクリルアミド、ヒドロキシプロピルセルロース、ポリビニルイミダゾリン、およびポリメタクリル酸ヒドロキシエチル、髭軟化剤、油、皮膚の回復を促進するか、または出血を止める物質、精油、濯ぎ助剤、不揮発性冷却剤、皮膚温和剤とシクロデキストリンの包接複合体、香料、ビタミンＥ、ビタミンＡおよびＢ−カロテン、パンテノールおよびアロエ、止痒剤、刺激抑制剤、殺菌剤、角質溶解剤、炎症防止剤、および収劍薬からなる群から選択されるものである、請求項１に記載の髭剃り機構。
【請求項７】
前記第一の髭剃り助剤が前記第二の髭剃り助剤とは異なり、前記第一の部分が、前記第一の髭剃り助剤に加えて、第二の髭剃り助剤と同じさらなる髭剃り助剤を含む、請求項１に記載の髭剃り機構。
【請求項８】
前記さらなる髭剃り助剤および前記第二の髭剃り助剤が、それぞれポリエチレンオキシドを含んでなる、請求項７に記載の髭剃り機構。
【請求項９】
前記第一の髭剃り助剤および前記第二の髭剃り助剤が、それぞれポリエチレンオキシドを含んでなる、請求項４または５に記載の髭剃り機構。
【請求項１０】
前記髭剃り助剤複合材料が、前記第一の部分に隣接して、第三の髭剃り助剤を含む、第三の露出した長さ方向に伸びる部分をさらに含んでなり、前記第一の部分が前記第二の部分および第三の部分の間に位置する、請求項１に記載の髭剃り機構。
【請求項１１】
前記第三の部分と前記第二の部分が同じ組成を有する、請求項１０に記載の髭剃り機構。
【請求項１２】
前記第一の髭剃り助剤、前記第二の髭剃り助剤、および前記第三の髭剃り助剤が、それぞれポリエチレンオキシドを含んでなる、請求項１０または１１に記載の髭剃り機構。
【請求項１３】
前記髭剃り助剤複合材料が、前記第一の部分の下に伸びて前記第二の部分および前記第三の部分と接合する接合部分を有している、請求項１０〜１２のいずれか１項に記載の髭剃り機構。
【請求項１４】
前記第一の部分、前記第二の部分、前記第三の部分、および接合部分がそれぞれ非水溶性重合体を含んでなり、それぞれの部分に含まれる前記非水溶性重合体が、それぞれ独立に、ポリエチレン、ポリプロピレン、ポリスチレン、ブタジエンスチレン共重合体、ポリアセタール、アクリロニトリル−ブタジエン−スチレン共重合体、およびエチレン酢酸ビニル共重合体からなる群から選択される、請求項１３に記載の髭剃り機構。
【請求項１５】
前記接合部分、前記第二の部分、および前記第三の部分が同じ組成を有する、請求項１４に記載の髭剃り機構。
【請求項１６】
前記第一の部分が、髭剃りの際に前記第一の部分が徐々に摩耗することにより放出され、前記髭剃り助剤が使い切られたことを示す着色剤をさらに含む、請求項１〜１５のいずれか１項に記載の髭剃り機構。
【請求項１７】
前記第一の部分が、前記第二の部分よりも多量の髭剃り助剤を含んでなる、請求項１〜１６のいずれか１項に記載の髭剃り機構。
【請求項１８】
前記第一の部分が、前記第二の部分に比べて隆起している、請求項１〜１７のいずれか１項に記載の髭剃り機構。
【請求項１９】
前記第二の部分が前記第一の部分に比較して異なった色であり、前記髭剃り助剤複合材料が、前記第一の部分と第二の部分とのコントラストにより縞状の外観を有する、請求項１〜１８のいずれか１項に記載の髭剃り機構。
【発明の詳細な説明】
【０００１】
【技術分野】
本発明は髭剃り機構に関するものである。
【０００２】
【背景技術】
湿式髭剃り機構では、皮膚を横切る剃刀刃の摩擦移動、毛髪の切断に要する力、および皮膚に予め存在する障害の刺激、の様なファクターが髭剃りの不快度を造り出すことがある。湿式髭剃り機構に関連する不快感および他の問題は、皮膚に髭剃り助剤（shaving aids）を塗布することにより緩和することができる。髭剃り助剤は、髭剃りの前、最中または後に塗布することができる。
【０００３】
前および後に塗布する髭剃り助剤の使用には多くの問題が伴う。予め塗布する髭剃り助剤は、蒸発するか、または剃刀刃の反復行程により塗布箇所から運び去られることがある。後で塗布する髭剃り助剤は、髭剃りの際には皮膚上に存在せず、従ってそれらの塗布は、好ましくない効果を阻止するには遅過ぎる。その上、前塗布および後塗布髭剃り助剤の両方を塗布することは、髭剃り過程に余分な工程を加えることになる。
【０００４】
髭剃り助剤を含む複合材料を剃刀刃に取り付けることにより、髭剃り助剤を剃刀刃の中に取り入れる方法が公知である。例えば、Rogers et al．の米国特許第５，１１３，５８５号明細書には、非水溶性マトリックス材料、水溶性の髭剃り助剤、および低分子量の放出促進剤を含む複合材料が開示されている。髭剃りの際に水に露出されると、水溶性の髭剃り助剤が複合材料から皮膚上に浸出する。放出促進剤も水に溶解し、水溶性髭剃り助剤が複合材料から放出されるのを促進する。
【０００５】
【発明の開示】
本発明は湿式髭剃り機構を特徴とするものである。この機構は、１枚またはそれより多くの刃を含む刃部材、および刃部材の近くにある、皮膚と接触する外側部分を含む。髭剃り機構は、例えば、剃刀ハンドルに着脱できる様に設計された使い捨ての髭剃りカートリッジでも、刃が鈍ってきたら剃刀全体を一つの単位として廃棄する様に剃刀ハンドルと一体化された髭剃りヘッドでもよい。刃のエッジは皮膚と接触する部分と連係し、髭剃りの幾何学的構造を画成する。
【０００６】
重要なのは、皮膚と接触する部分が、それぞれ髭剃り助剤を含む２個の隣接して露出した、長さ方向に伸びる部分を含む重合体状髭剃り助剤複合材料を含むことである。それぞれの部分に含まれる髭剃り助剤は、同一でも異なっていてもよい。複合材料は、例えば押し出した複合材料でよい。
【０００７】
隣接して長さ方向に伸びる部分を有する髭剃り助剤複合材料には、多くのデザイン上の長所を与える。例えば、第一の部分が第二の部分よりも大量の非水溶性樹脂を含むのに対し、第二の部分が第一の部分よりも大量の髭剃り助剤を含むことができる。これによって、第一の部分は第二の部分を支持し、髭剃りの際に、崩壊したり、髭剃りの幾何学的構造を大幅に変化させたりすることなく、第二の部分が大量の髭剃り助剤を放出することができる。
【０００８】
さらに、この配置により、相容性の無い髭剃り助剤同士を同じ髭剃り機構の中に取り入れることができる。例えば、一方の髭剃り助剤が、混合した時に他方の髭剃り助剤と化学的に反応する場合がある。同様に、ある髭剃り助剤が、他の髭剃り助剤も含む複合材料中にあまりにも大量に含まれる場合、複合材料の摩耗特性に好ましくない影響を与えることがある、あるいは、例えば他方の髭剃り助剤が潤滑性で水溶性の重合体である場合、複合材料により与えられる潤滑性が低減されることもある。また、一方の髭剃り助剤が、押出し工程の際に、第二の髭剃り助剤の分解を引き起こす様な高い処理温度を必要とする場合もある。これらの髭剃り助剤を複合材料の異なった部分に含むことにより、複合材料を各部分に対して異なった処理温度で共押出しすることができる。
【０００９】
その上、２つの部分は複合材料に望ましい表面形状を与えることができる。例えば、これらの部分を丸くすることにより、複合材料上の皮膚と接触する表面を大きくすることができる。あるいは、一方の部分の露出した表面を他の部分に対して僅かに隆起させることにより、一方の部分の摩耗特性を強化することができる。
【００１０】
本発明は、２個の隣接して露出した、長さ方向に伸びる部分を含み、それらの部分の一方が着色剤を含む髭剃り機構も提供するものである。第二の部分は、第一の部分と異なった色を有し、例えば、第二の部分は着色剤を含まないか、または第一の部分に使用した着色剤と異なった着色剤を含むことができる。第一の部分の着色剤は髭剃りの際に（例えば浸出により、または摩耗により）放出される。最初に使用する時、複合材料は好ましくは２つの位置間のコントラストにより縞状の外観を有する。これらの部分の一方または両方が髭剃り助剤を含むこともできる。
【００１１】
本発明の他の特徴および利点は、本発明の好ましい実施態様の説明および請求項から明らかになるであろう。
【００１２】
【発明を実施するための最良の形態】
図１に示す交換可能な髭剃りカートリッジ１０は、ここに参考として含める、本願と同じ譲受人に譲渡されたU.S.S.N. 08/630,437（１９９６年４月１０日提出）に示された種類のカートリッジである。このカートリッジは、３枚の刃１８、ガード２０、および細長い挿入部材の形態にある縞状の固体重合体状髭剃り助剤複合材料２２を支持するハウジング１６を含む。髭剃り助剤組成物はカートリッジの後部にある開口部の中に固定されており、髭剃りの際に複合材料から放出されて髭剃り特性を改良する髭剃り助剤を含む。この特別な髭剃りカートリッジの後部に示してあるが、髭剃り助剤組成物は、髭剃り装置の皮膚と接触するどの部分にあってもよく、適当と考えられるどの様な大きさまたは形状に加工してもよい。例えば、複合材料は、ここに参考として含める米国特許第４，５８６，２５５号に記載されている髭剃り装置に取り入れることができる。
【００１３】
図２および３に関して、髭剃り助剤複合材料１４は、長さ方向に伸びる部分４４、４６、および４８（それぞれ丸くなった葉の裂片の形状にある）を含み、それぞれ長さ方向に伸びる露出した表面を含む。複合材料１４は、部分４４および４８を接続し、必要に応じてカートリッジの噛合わせになる受入部分の中に複合材料を固定する役目も果たす接続部分４９も含む。部分４４および４８および接続部分４９は、同じ組成を有し、一緒に、部分４６の露出された面以外をすべて取り囲んでいる。これらの部分は部分４６に対する支持を与えることができる。部分４４、４６、および４８は、それぞれ例えば長さが３．０４８センチメートル〜３．４２９センチメートル、より好ましくは３．１７５センチメートル〜３．２３８５センチメートル（１．２０インチ〜１．３５インチ、より好ましくは１．２５インチ〜１．２７５インチ）、幅が０１７７８センチメートル〜０．２７９４センチメートル、より好ましくは０．２１５９センチメートル〜０．２４１３センチメートル（０．０７インチ〜０．１１インチ、より好ましくは０．０８５インチ〜０．０９５インチ）でよい。部分４４、４６、および４８はそれぞれ非水溶性重合体（必要に応じて異なった量で）、および髭剃り助剤を含む。これらの部分は同じ髭剃り助剤または異なった髭剃り助剤を含むことができる。一実施態様では、部分４４および４８が同等で、同じ髭剃り助剤を含むのに対し、部分４６は異なった髭剃り助剤を、必要に応じて部分４４および４８に含まれるものと同じ髭剃り助剤との組合せで、含む。各部分は、他の通常の髭剃りおよび複合材料成分、例えば低分子量の水溶性放出促進剤、例えばポリエチレングリコール（例えば１〜１０重量％）、水で膨潤し得る放出促進剤、例えば架橋ポリアクリル樹脂（例えば２〜７重量％）、着色剤、酸化防止剤、および保存剤、を含むこともできる。水溶性放出促進剤は、ここに参考として含める米国特許第５，１１３，５８５号明細書に記載されている。水で膨潤し得る放出促進剤は、ここに参考として含める、本願と同じ譲受人に譲渡されたU.S.S.N. 08/121,153（１９９３年９月１３日提出）に記載されている。着色剤を含む部分は、髭剃りの際に着色剤を放出し、その部分の摩耗に応答して色を変える様に設計することができる。一つの部分は、例えば約０．１〜約５．０重量％（好ましくは約０．５〜３重量％）の着色剤を含むことができる。
【００１４】
使用することができる適当な非水溶性重合体としては、ポリエチレン、ポリプロピレン、ポリスチレン、ブタジエンスチレン共重合体（例えば中および高衝撃性ポリスチレン）、ポリアセタール、アクリロニトリル−ブタジエン−スチレン共重合体、エチレン酢酸ビニル共重合体およびブレンド、例えばポリプロピレン／ポリエステルブレンド、がある。
【００１５】
好ましくは、各部分は約５〜５０重量％、より好ましくは約１５〜４０重量％、最も好ましくは約２０〜３５重量％、の非水溶性重合体を含む。より好ましい非水溶性重合体は、ポリスチレン、好ましくは一般用ポリスチレン、例えばBASF 2824、または高衝撃性ポリスチレン（すなわちポリスチレン−ブタジエン）、例えばMobil 4324、である。この部分は、製造中および使用中の両方で十分な機械的強度を得るために、十分な量の非水溶性重合体を含むべきである。
【００１６】
髭剃り助剤は、髭剃り性能を向上させる物質である。髭剃り助剤、例えば髭剃りの快適性を改善する（例えば皮膚を潤滑させることにより、髭剃り効率が向上する、髭を調整する、または皮膚を調整することができる。髭剃り助剤の例には、潤滑性水溶性重合体、例えばポリエチレンオキシド、ポリビニルピロリドン、ポリアクリルアミド、ヒドロキシプロピルセルロース、ポリビニルイミダゾリン、およびポリメタクリル酸ヒドロキシエチル、髭軟化剤、油、例えばシリコーン油および鉱油、皮膚の回復を促進するか、または出血を止める物質、精油、例えばメントール、オイゲノール、ユーカリプトール、サフロール、およびサリチル酸メチル、濯ぎ助剤、不揮発性冷却剤、皮膚温和剤とシクロデキストリンの包接複合体、香料、ビタミンＥ（ビタミンＥの一般的な形態、例えばビタミンＥ酢酸塩を含む）ビタミンＡおよびＢ−カロテン、パンテノールおよびアロエ、止痒剤／刺激抑制剤、殺菌剤／角質溶解剤、炎症防止剤、収敵薬がある。
【００１７】
所望の特性を得るには、十分な髭剃り助剤を含むべきである。一つの部分は、例えば約２０〜約８０重量％、より好ましい約４０〜約７５重量％、の潤滑性水溶性重合体を含むことができる。一つの部分は、例えば約０．０１〜約５．０重量％、より好ましくは約０．０５〜約１．０重量％、のビタミンＥ（またはビタミンＥの一般形態）も含むことができる。
【００１８】
好ましい潤滑性水溶性重合体はポリエチレンオキシドである。より好ましいポリエチレンオキシドは、一般的にPOLYOX（Union Carbide Corporationから市販）またはALKOX（Meisei Chemical Works、日本国京都から市販）と呼ばれている。ポリエチレンオキシドは好ましくは分子量が約１００，０００〜６百万、最も好ましくは約３００，０００〜５百万、である。最も好ましいポリエチレンオキシドは、約４０〜８０％の、平均分子量が約５百万のポリエチレンオキシド（例えばPOLYOX COAGULANT）および約６０〜２０％の、平均分子量が約３００，０００のポリエチレンオキシド（例えばPOLYOX WSR-N-750）の混合物を含んでなる。ポリエチレンオキシド混合物は、約１０重量％までの低分子量（すなわちＭＷ＜１０，０００）ポリエチレングリコール、例えばPEG-100、を含むのが有利である。
【００１９】
髭剃り助剤複合材料は、射出成形および押出しを含むいずれかの適当な方法により製造できるが、押出しが好ましい。
【００２０】
好ましい髭剃り助剤複合材料を以下に説明する。部分４４および４８（および接続部分４９）はそれぞれの例で同じである。一髭剃り助剤複合材料は中央の青色部分（４６）を含み、それとは別の髭剃り助剤複合材料は中央の緑色部分（４６）を含む。中央部分中の着色剤は、髭剃りの際に、一般的に徐々に摩耗するためにその部分から放出され、それによって色の変化により、中央部分に本来含まれていた髭剃り助剤が最早放出されないことを示す。
【００２１】
部分４４、４６、および４８が丸くなった葉の裂片の形状にあり、部分４４と４６および４６と４８の接合部にかなりの窪みがあるので、この髭剃り助剤複合材料は、例えば皮膚と接触する平らな表面を有する髭剃り助剤複合材料よりも、皮膚と接触する表面積がより大きくなる。これによって皮膚に対する潤滑性が増加し、部分４６が摩滅するのに要する時間を短縮することができる。部分４４および４８の露出した表面に対して部分４６の露出した表面が隆起していることも、部分４６の摩滅速度を高くする。
【００２２】
髭剃り助剤複合材料に使用する成分は下記表の左側の第一欄に記載する通りである。部分４４および４８および接続部分４９における各成分の量は第二欄に記載する通りである。第三および第四欄は、中央の青色部分（４６）を含む髭剃り助剤複合材料に使用する成分の量的範囲を示すものである。第五および第六欄は、中央の緑色部分（４６）を含む髭剃り助剤複合材料に使用する成分の量的範囲を示すものである。
【００２３】
【表１】
0004020975.tif 000002
【００２４】
好ましい髭剃り助剤複合材料は下記の組成を有する。
【表２】
0004020975.tif 000003
【００２５】
【表３】
0004020975.tif 000004
【００２６】
髭剃り助剤複合材料は、当業者には公知の通常の共押出しまたは成形方法により製造することができる。例えば、複合材料の成分を、２基の分離した、それぞれ加熱シリンダー、ポンプ輸送スクリュー、そのスクリュー用のモーター駆動装置、および系全体の制御機構からなる、融解／ポンプ輸送（プラスチック押出機）装置により供給することができる。複合材料の材料は粉末形態でそれぞれの押出機（例えばDavis Standard製の短軸型）に供給する。押出機は同じ、または異なった速度および同じ、または異なった温度で運転することができる。各押出機のシリンダー温度は、３つの区域で３２５°Ｆから３７５°Ｆに傾斜させることができ、ダイ／シリンダー接続部における第四ヒーターも３７５°Ｆに設定することができ、ダイにおける第五ヒーターは３７５°Ｆ〜４００°Ｆでよい。凹凸を付けた溶接部を介して、各成分の溶融流を一つに合わせ、複合材料を形成する。部分４６は、ダイヘッド中の精確に機械加工した経路を通して部分（４４、４８、および４９の組合せ）の上に精確に配置することができる。２種類の溶融材料は、異なった組成を有するので、できるだけ後の時点で一つに合わせてからダイを出る様にする。両方の材料は、最終製品の大きさおよび形状に近い大きさおよび形状でダイヘッドから出る。最終的な寸法は、押出し物が冷却する時に、一連の成形ローラーを使用して達成する。複合材料は一般的に毎分５０フィートの速度で押し出す。
【００２７】
組み合わせた溶融材料をダイヘッドから寸法調整／冷却装置の中に、その断面積が常に一定になる様に、一定速度で引き取る。乾燥冷風浴中で溶融材料を最早曲がらなくなるまで冷却させる。冷却後、複合材料を適当な長さに切断し、剃刀カートリッジに取り付けることができる。
【００２８】
髭剃り助剤複合材料の他の例は、部分４４、４８、および接続部分４９に同じ組成物を含み、中央部分（４６）は約９０％の、部分４４および４８に使用した組成物に加えて、下記の成分を含む。
例Ａ−−１％青色顔料および１０％アロエ
例Ｂ−−１％青色顔料および１０％メントール
例Ｃ−−１０％Frescolat（メントール類似体）
例Ｄ−−１０％鉱油／ビタミンＥ
例Ｅ−−１０％シリコーン液1401
例Ｆ−−５％ビタミンＥおよび５％パンテノール
例Ｇ−−１０％Triclosan DP300（殺菌剤）
【００２９】
他の例では、部分４４および４８は、上記の組成を有する。中央部分は、部分４４および４８に使用した組成物（％組成物）に加えて、下記の追加成分を含む。  例Ｈ−−９５％組成物および５％Triclosan DP300
例Ｉ−−９３％組成物および６％メントールおよび１％シリコーン共重合体
例Ｊ−−９４％組成物および６％メントール
例Ｋ−−８５％組成物および１０％ポリエチレンオキシド（部分４４に以前に使用した６０：４０Polyoxブレンド）および５％Salsorb
【００３０】
別の例では、中央部分４６が８０％Polyox（部分４４に以前に使用した６０：４０Polyoxブレンド）および２０％ナイロン１２からなることができる。
【００３１】
別の例では、中央部分４６が下記の成分を含むことができる。
例Ｌ−−８０％Polyox（部分４４に以前に使用した６０：４０Polyoxブレンド）および１４％ポリスチレンおよび３％PEG 100および３％ＰＶＡ
例Ｍ−−７０％無定形ナイロン（Zytel 330）および３０％Polyox（６０／４０）
例Ｎ−−７７．７５％（部分４４に以前に使用した６０：４０Polyoxブレンド）および１０％PEG 100および０．２５％Irganoxおよび２％緑色顔料および１０％ビタミンＥ
【００３２】
他の実施態様は請求項の範囲内である。例えば、図４に関して、楔形髭剃り助剤複合材料５６は、長さ方向に伸びる部分５８、６０、および６２を含み、それぞれが長さ方向に伸びる露出表面を含む。髭剃り助剤複合材料５６は、接続部分６４も含む。部分５８、６０、６２、および６４は、例えばそれぞれ部分４４、４６、４８、および４９と同じ組成を有することができ、通常の共押出しまたは成形技術により製造することができる。髭剃り助剤複合材料５６は、髭剃りカートリッジ、例えばAtraRに使用されている髭剃りカートリッジに、複合材料をカートリッジ中の窪みに接着することにより、取り付けることができる。
【００３３】
あるいは、図５に関して、楔形髭剃り複合材料６４は、２個の長さ方向に伸びる部分６６および６８を含むことができる。部分６６は９０％組成物、１％青色顔料、および１０％メントールまたはアロエを含むことができる。部分６８は、少量の白色顔料を含む１００％組成物を含むことができる。図２および３に示す髭剃り助剤複合材料は、２個の長さ方向に伸びる部分だけを含むこともできる。
【図面の簡単な説明】
【図１】本発明の剃刀装置の全体図である。
【図２】本発明の髭剃り助剤複合材料の全体図である。
【図３】図２の複合材料の側面図である。
【図４】本発明の第二の髭剃り助剤複合材料の全体図である。
【図５】本発明の第三の髭剃り助剤複合材料の全体図である。
【図１】
0004020975.tif 000005
【図２】
0004020975.tif 000006
【図３】
0004020975.tif 000007
【図４】
0004020975.tif 000008
【図５】
0004020975.tif 000009